(57)【要約】【課題】市街地や住宅地の並木（樹木）に鳥が飛来し停留するのを防止する樹木用の鳥避け装置を提供することを目的とする。【解決手段】樹木の幹10へ振動を付与する振動付与手段２を備え、振動付与手段２は、樹木の幹10に取付可能な防水箱１内に上下揺動可能な振り子状に枢支されたハンマー３と、防水箱１内に配設されかつハンマー３のヘッド部４を所定高さＨまで振り上げる振り上げ手段５と、振り上げたハンマー３のヘッド部４が下方へ揺動した際に衝突してハンマー３による衝撃を樹木の幹10に伝達する衝撃ブロック７と、を有するものである。【選択図】図１
2007159556.tif 000002
【特許請求の範囲】
【請求項１】
樹木の幹（10）へ振動を付与する振動付与手段（２）を備え、該振動付与手段（２）は、上記樹木の幹（10）に取付可能な防水箱（１）内に上下揺動可能な振り子状に枢支されたハンマー（３）と、上記防水箱（１）内に配設されかつ上記ハンマー（３）のヘッド部（４）を所定高さ（Ｈ）まで振り上げる振り上げ手段（５）と、振り上げた上記ハンマー（３）のヘッド部（４）が下方へ揺動した際に衝突して該ハンマー（３）による衝撃を上記樹木の幹（10）に伝達する衝撃ブロック（７）と、を有することを特徴とする樹木用の鳥避け装置。
【請求項２】
樹木の幹（10）へ振動を付与する振動付与手段（２）を備え、該振動付与手段（２）は、上記樹木の幹（10）に取付可能な防水箱（１）内に付設されかつ防水箱（１）を介して上記樹木の幹（10）に振動を付与する偏心モータ（８）を有することを特徴とする樹木用の鳥避け装置。
【請求項３】
樹木の幹（10）へ振動を付与する振動付与手段（２）を備え、該振動付与手段（２）は、上記樹木の幹（10）に取付可能な防水箱（１）内に配設されたコイル（９）と、該コイル（９）の中心空隙部（13）に配設された可動鉄心（11）と、上記可動鉄心（11）が衝突して該可動鉄心（11）による衝撃を上記樹木の幹（10）に伝達する衝撃ブロック（12）と、を有することを特徴とする樹木用の鳥避け装置。
【請求項４】
多数羽の鳥が樹木に飛来する時間帯に上記振動付与手段（２）を作動させるタイマー（６）を上記防水箱（１）内に備えた請求項１，２又は３記載の樹木用の鳥避け装置。
【請求項５】
１個の制御装置（31）によって、複数の樹木の幹（10）に取り付けられた複数の上記振動付与手段（２）を制御して作動させるように構成した請求項１，２又は３記載の樹木用の鳥避け装置。
【発明の詳細な説明】
【技術分野】
【０００１】
本発明は、樹木用の鳥避け装置に関する。
【背景技術】
【０００２】
市街地や住宅地の並木等に鳥が飛来することが多く、これらの鳥の糞により通行人や車等が汚損する糞害が増加している。
このため、従来より、鳥が飛来し易い場所から鳥を排除する鳥避け装置として、例えば、ピン（針）やワイヤー、ネットを飛来場所に取り付けたり（特許文献１参照）、音や光、電磁波を発して（特許文献２参照）、鳥に不快感を与えて追い払うものがある。
【特許文献１】特開平１０−９４３５６号公報
【特許文献２】特開２００１−１１２４００号公報
【発明の開示】
【発明が解決しようとする課題】
【０００３】
しかし、従来のピン・ワイヤー・ネットを用いた鳥避け装置を樹木に設置する場合は、樹木の枝に多くの部品を取り付けなければならず、その取付作業に多大な労力を必要とし、さらに、街の美観を損ねる虞があるので、樹木用の鳥避け装置には適していない。また、音や光を発するものは、住宅地や市街地の並木に設置すると、騒音等の公害につながり好ましくない。電磁波を発するものは、設置直後は効果があるが、時間が経過すると、鳥が慣れ効果がなくなるといった問題があった。
【０００４】
そこで、本発明は、市街地や住宅地の並木（樹木）に鳥が飛来し停留するのを防止する樹木用の鳥避け装置を提供することを目的とする。
【課題を解決するための手段】
【０００５】
上記目的を達成するために、本発明に係る鳥避け装置は、樹木の幹へ振動を付与する振動付与手段を備え、該振動付与手段は、上記樹木の幹に取付可能な防水箱内に上下揺動可能な振り子状に枢支されたハンマーと、上記防水箱内に配設されかつ上記ハンマーのヘッド部を所定高さまで振り上げる振り上げ手段と、振り上げた上記ハンマーのヘッド部が下方へ揺動した際に衝突して該ハンマーによる衝撃を上記樹木の幹に伝達する衝撃ブロックと、を有する。
【０００６】
また、樹木の幹へ振動を付与する振動付与手段を備え、該振動付与手段は、上記樹木の幹に取付可能な防水箱内に付設されかつ防水箱を介して上記樹木の幹に振動を付与する偏心モータを有する。
【０００７】
また、樹木の幹へ振動を付与する振動付与手段を備え、該振動付与手段は、上記樹木の幹に取付可能な防水箱内に配設されたコイルと、該コイルの中心空隙部に配設された可動鉄心と、上記可動鉄心が衝突して該可動鉄心による衝撃を上記樹木の幹に伝達する衝撃ブロックと、を有する。
【０００８】
また、多数羽の鳥が樹木に飛来する時間帯に上記振動付与手段を作動させるタイマーを上記防水箱内に備えたものである。
また、１個の制御装置によって、複数の樹木の幹に取り付けられた複数の上記振動付与手段を制御して作動させるように構成した。
【発明の効果】
【０００９】
本発明は、次のような著大な効果を奏する。
本発明に係る樹木用の鳥避け装置によれば、樹木に振動を付与して、樹木に飛来して停まろうとする鳥に不快感を与え、樹木に鳥を寄せつけなくすることができる。本発明の鳥避け装置を、市街地や住宅地等の樹木に取り付けることにより、その地域の鳥の糞害をなくすことができる。
また、上記振動付与手段を構成するほとんどの部材が、防水箱に内装されているので、簡単に樹木の幹に取り付けることができ、雨等による電子部品の故障の虞れもない。
【発明を実施するための最良の形態】
【００１０】
以下、実施の形態を示す図面に基づき本発明を詳説する。
図１〜図３に示すのは、本発明の第１の実施の形態であり、本発明に係る樹木用の鳥避け装置は、樹木の幹10へ振動を付与する振動付与手段２を備えている。
かつ、本発明は、樹木の幹10に取付ベルト17にて取付可能な防水箱１を備え（図８参照）、振動付与手段２は、この防水箱１内に上下揺動可能な振り子状に枢支されたハンマー３を有している。さらに、振動付与手段２は、防水箱１内に配設されかつハンマー３のヘッド部４を所定高さＨまで振り上げる振り上げ手段５と、振り上げたハンマー３のヘッド部４が下方へ揺動した際に衝突してハンマー３による衝撃を樹木の幹10に伝達する衝撃ブロック７と、を具備している。また、防水箱１は、開閉自在の扉25を有している（図２又は図３参照）。
【００１１】
具体的には、ハンマー３は、樽状のヘッド部４と、ヘッド部４に一端が固着された長尺の柄部18と、を備えている。柄部18の他端は、防水箱１の内壁面に取付部材19を介して回転自在に枢支され、ハンマー３は柄部18の基端を中心として上下に揺動可能となっている。
【００１２】
振り上げ手段５は、ハンマー３の柄部18を支持しつつ上方へ揺動させる支持部材20を有し、支持部材20の一端は、防水箱１の内壁面に上記取付部材19を介して回転自在に枢支されている。また、支持部材20を回転させるための駆動モータ23が取付部材19に取着されている。
【００１３】
さらに、支持部材20の他端には小ローラー21が回転可能に付設され、図２に示すように、支持部材20は、その他端の小ローラー21にてハンマー３の柄部18に接触し支持可能に構成されている。また、ハンマー３の柄部18には、切欠部22が形成され、支持部材20が回転してハンマー３のヘッド部４を所定高さＨまで持ち上げた際に（図１参照）、小ローラー21がその切欠部22から逃げて（切欠部22を通過して）柄部18を支持状態から解放するように構成されている。このように、小ローラー21が切欠部22から逃げるようにするために、ハンマー３と支持部材20との取付部材19（防水箱１）に対するそれぞれの枢支軸心は、異なる軸心位置に配置されている。
【００１４】
図１に示すように、防水箱１の下部に配設された衝撃ブロック７は、防水箱１の壁面を貫通して付設されており、衝撃ブロック７の一端面は防水箱１内に配設され、他端面は防水箱１の外側に露出して配設されている。そして、本発明の鳥避け装置が取付ベルト17にて樹木の幹10に取り付け固定された状態───取付状態───では、衝撃ブロック７の多端面は樹木の幹10の表面に接触して配設されている。なお、衝撃ブロック７は、幹10に損傷を与えない素材で形成されることが好ましい。
【００１５】
また、防水箱１内には、多数羽の鳥が樹木に飛来する時間帯に上記振動付与手段２を作動させるタイマー６が設けられている。
このタイマー６は、支持部材20を回転させる駆動モータ23を設定された時刻にＯＮ／ＯＦＦとするカレンダータイマーであり、例えば、鳥が日没頃に樹木に飛来して停まる習性がある場合は、タイマー６に予め日没予定時刻を記憶させ、日没予定時刻より少し前から所定時間継続して駆動モータ23（振動付与手段２）を作動させるように設定してもよい。
【００１６】
駆動モータ23へ電気を供給するためのバッテリ14が防水箱１内に配設され、防水箱１の外上面にはバッテリ14へ充電する電気を生成するためのソーラーパネル24が付設されている。また、バッテリ14への充電は、別途設置された 100Ｖ電源から行うようにしてもよい。
【００１７】
防水箱１を樹木の幹10に取り付ける上下２個の取付ベルト17，17は、ラチェット式のベルトであり、防水箱１を幹10に強固に取付可能である。取付ベルト17は、防水箱１の外壁面に付設されたベルト保持部材26を介して防水箱１に取着されている。
本発明の平面図である図３に示すように、ベルト保持部材26は、鉛直軸心を中心に回転可能な左右２個のローラー部材27，27を有し、ローラー部材27は、（本発明の鳥避け装置の取付状態で）樹木の幹10の表面に接触して配設されている。そして、取付ベルト17は樹木の幹10と２個のローラー部材27，27とを一緒に包囲し締め付けるようにして取り付けられている。また、ローラー部材27は、幹10の表面を傷つけないように、例えばゴム等にて成形されている。
【００１８】
次に、図４と図５に示す本発明の第２の実施の形態について説明する。
第２の実施の形態の鳥避け装置は、樹木の幹10へ振動を付与する振動付与手段２を備えている。
かつ、鳥避け装置は、樹木の幹10に取付ベルト17にて取付可能な防水箱１を備え（図８参照）、振動付与手段２は、この防水箱１内に配設された偏心モータ８を有している。偏心モータ８は防水箱１の内壁面に増幅板バネ32を介して付設されており、具体的には、偏心モータ８は増幅板バネ32の上部に付設され、増幅板バネ32の下部は固定部材28を介して防水箱１の内壁面に固着されている。つまり、偏心モータ８の偏心ウェイト29が回転したときに生じる振動を増幅板バネ32で増幅して（防水箱１を介して）樹木の幹10に付与するように構成されている。また、防水箱１は、開閉自在の扉25を有している（図５参照）。
【００１９】
また、防水箱１内には、多数羽の鳥が樹木に飛来する時間帯に上記振動付与手段２を作動させるタイマー６が設けられている。
このタイマー６は、偏心モータ８を設定された時刻にＯＮ／ＯＦＦとするカレンダータイマーであり、例えば、鳥が日没頃に樹木に飛来して停まる習性がある場合は、タイマー６に予め日没予定時刻を記憶させ、日没予定時刻より少し前から所定時間継続的に又は断続的に偏心モータ８（振動付与手段２）を作動させるように設定してもよい。
【００２０】
偏心モータ８へ電気を供給するためのバッテリ15が防水箱１内に配設され、防水箱１の外上面にはバッテリ15へ充電する電気を生成するためのソーラーパネル24が付設されている。また、バッテリ15への充電は、別途設置された 100Ｖ電源から行うようにしてもよい。
【００２１】
防水箱１を樹木の幹10に取り付ける上下２個の取付ベルト17，17は、ラチェット式のベルトであり、防水箱１を幹10に強固に取付可能である。取付ベルト17は、防水箱１の外壁面に付設されたベルト保持部材26を介して防水箱１に取着されている。
平面図である図５に示すように、ベルト保持部材26は、鉛直軸心を中心に回転可能な左右２個のローラー部材27，27を有し、ローラー部材27は、（本発明の鳥避け装置の取付状態で）樹木の幹10の表面に接触して配設されている。そして、取付ベルト17は樹木の幹10と２個のローラー部材27，27とを一緒に包囲し締め付けるようにして取り付けられている。また、ローラー部材27は、幹10の表面を傷つけないように、例えばゴム等にて成形されている。
【００２２】
さらに、図６と図７に示す本発明の第３の実施の形態は、振動付与手段２にソレノイドを使用している。
具体的には、振動付与手段２は、防水箱１内に配設されたコイル９と、コイル９の中心空隙部13に移動可能に配設された可動鉄心11と、可動鉄心11が衝突してその可動鉄心11による衝撃を樹木の幹10に伝達する衝撃ブロック12と、を有している。
【００２３】
可動鉄心11は、コイル９に通電した際に衝撃ブロック12に向かって移動するように構成され、30はコイル９が非通電状態のときに可動鉄心11をもとの位置に復帰させるためのバネである。
また、コイル９へ電気を供給するためのバッテリ16が防水箱１内に配設され、防水箱１の外上面にはバッテリ16へ充電する電気を生成するためのソーラーパネル24が付設されている。
【００２４】
図６に示すように、衝撃ブロック12は、防水箱１の壁面を貫通して付設されており、衝撃ブロック12の一端面は防水箱１内に配設され、他端面は防水箱１の外側に露出して配設されている。そして、本発明の鳥避け装置が取付ベルト17にて樹木の幹10に取り付け固定された状態───取付状態───では、衝撃ブロック12の多端面は樹木の幹10の表面に接触して配設されている。なお、衝撃ブロック12は、幹10に損傷を与えない素材で形成されることが好ましい。
なお、図６及び図７に於て、図４及び図５と同一の符号は、図４及び図５と同様の構成であるので説明を省略する。
【００２５】
また、図９に示すように、本発明の樹木用の鳥避け装置を複数の樹木の幹10に設置した場合、つまり、内部に振動付与手段２を備えた複数の防水箱１を複数の樹木の幹10に取り付けた場合に、これらの振動付与手段２を１個の制御装置31にて制御して作動させるように構成してもよい。また、この場合、各防水箱１内のタイマー６等の制御手段を省略して、（集中制御するための）制御装置31にて、全ての振動付与手段２を作動させるように設定する。
【００２６】
上述した本発明の樹木用の鳥避け装置の使用方法（作用）について説明する。
図１〜図３に示す第１の実施の形態の鳥避け装置の使用方法について説明すると、図１に示すように、最初に、本発明の鳥避け装置（防水箱１）を取付ベルト17にて樹木の幹10に取り付け固定する。また、予め、振動付与手段２を作動させたい所望の時刻をタイマー６に設定しておく。
そして、タイマー６に設定した時刻になると、駆動モータ23がＯＮとなり、支持部材20が（図１に於て時計回りに）回転して、ハンマー３の柄部18を支持しつつ上方へ揺動させる（振り上げる）。ハンマー３のヘッド部４を所定高さＨまで振り上げると、支持部材20の小ローラー21が、柄部18の切欠部22から逃げて柄部18を支持状態から解放する。
【００２７】
支持状態から解放されたハンマー３は、自重により下方へ揺動した後、衝撃ブロック７と衝突し、その衝撃が樹木の幹10へと伝わる。
また、支持部材20はそのまま回転して初めの位置へ戻り、再びハンマー３を支持して振り上げ、下方へ揺動したハンマー３が幹10に振動を与える。これらの動作を、タイマー６で設定した時間、繰り返し、樹木の幹10に断続的に振動を付与する。
【００２８】
次に、図４と図５に示す第２の実施の形態の鳥避け装置の使用方法について説明する。  まず、図４に示すように、本発明の鳥避け装置（防水箱１）を取付ベルト17にて樹木の幹10に取り付け固定する。また、予め、偏心モータ８（振動付与手段２）を作動させたい所望の時刻をタイマー６に設定しておく。
そして、タイマー６に設定した時刻になると、偏心モータ８がＯＮとなり、偏心ウェイト29を回転させる。回転する偏心ウェイト29により防水箱１全体に振動を発生させ、この振動が樹木の幹10へ伝わる。
偏心モータ８は、タイマー６に設定した時間、作動（回転）し続け、樹木の幹10に振動を付与する。また、偏心モータ８を制御する図示省略の制御装置を設け、偏心モータ８を断続的に回転させるように制御してもよい。
【００２９】
さらに、図６と図７に示す第３の実施の形態の鳥避け装置の使用方法について説明する。
図６に示すように、予め、コイル９に通電し始める所望の時刻をタイマー６に設定し、本発明の鳥避け装置（防水箱１）を取付ベルト17にて樹木の幹10に取り付け固定する。
そして、タイマー６に設定した時刻になると、コイル９に電流を流して励磁し、可動鉄心11を衝撃ブロック12へ向かって移動させ、衝撃ブロック12に衝突させる。その衝撃が衝撃ブロック12を介して樹木の幹10へと伝わる。
【００３０】
コイル９は一旦非通電状態となり、衝撃ブロック12に衝突した可動鉄心11は、バネ30によりもとの位置へ復帰する。
また、コイル９は、タイマー６に設定した時間、通電状態と非通電状態とを繰り返し、樹木の幹10に振動を付与する。
【００３１】
なお、樹木に鳥が飛来して停まるのを防止するには、飛来して停まった後に樹木の幹10に振動を与えるよりも、飛来して停まる前から振動を与えている方が効果的であるので、タイマー６に設定する振動付与手段２を作動させる時間としては、（多数羽の）鳥が樹木に飛来してとまり始める時間よりも少し早い時間に設定することが望ましい。
【００３２】
以上のように、本発明の樹木用の鳥避け装置は、樹木の幹10へ振動を付与する振動付与手段２を備え、振動付与手段２は、樹木の幹10に取付可能な防水箱１内に上下揺動可能な振り子状に枢支されたハンマー３と、防水箱１内に配設されかつハンマー３のヘッド部４を所定高さＨまで振り上げる振り上げ手段５と、振り上げたハンマー３のヘッド部４が下方へ揺動した際に衝突してハンマー３による衝撃を樹木の幹10に伝達する衝撃ブロック７と、を有するので、樹木に振動を付与して、樹木に飛来して停まろうとする鳥に不快感を与え、樹木に鳥を寄せつけなくすることができる。本発明の鳥避け装置を、市街地や住宅地等の樹木に取り付けることにより、その地域の鳥の糞害をなくすことができる。
また、上記振動付与手段２を構成するほとんどの部材が、防水箱１に内装されているので、簡単に樹木の幹10に取り付けることができ、雨等による電子部品の故障の虞れもない。
【００３３】
また、樹木の幹10へ振動を付与する振動付与手段２を備え、振動付与手段２は、樹木の幹10に取付可能な防水箱１内に付設されかつ防水箱１を介して樹木の幹10に振動を付与する偏心モータ８を有するので、樹木に振動を付与して、樹木に飛来して停まろうとする鳥に不快感を与え、樹木に鳥を寄せつけなくすることができる。本発明の鳥避け装置を、市街地や住宅地等の樹木に取り付けることにより、その地域の鳥の糞害をなくすことができる。
また、上記振動付与手段２を構成する部材が、防水箱１に内装されているので、簡単に樹木の幹10に取り付けることができ、雨等による電子部品の故障の虞れもない。
【００３４】
また、樹木の幹10へ振動を付与する振動付与手段２を備え、振動付与手段２は、樹木の幹10に取付可能な防水箱１内に配設されたコイル９と、コイル９の中心空隙部13に配設された可動鉄心11と、可動鉄心11が衝突して可動鉄心11による衝撃を樹木の幹10に伝達する衝撃ブロック12と、を有するので、樹木に振動を付与して、樹木に飛来して停まろうとする鳥に不快感を与え、樹木に鳥を寄せつけなくすることができる。本発明の鳥避け装置を、市街地や住宅地等の樹木に取り付けることにより、その地域の鳥の糞害をなくすことができる。
また、上記振動付与手段２を構成するほとんどの部材が、防水箱１に内装されているので、簡単に樹木の幹10に取り付けることができ、雨等による電子部品の故障の虞れもない。
【００３５】
また、多数羽の鳥が樹木に飛来する時間帯に振動付与手段２を作動させるタイマー６を防水箱１内に備えたので、振動付与手段２の駆動源の無駄なエネルギー消費を回避し、かつ、一層効果的に鳥を樹木に寄せつけなくすることができる。例えば、鳥が樹木に飛来して来る時間より少し早い時間から振動付与手段２を作動させるようにタイマー６を設定すれば、鳥が樹木に停留する前に追い払うことができる。
【００３６】
また、１個の制御装置31によって、複数の樹木の幹10に取り付けられた複数の振動付与手段２を制御して作動させるように構成したので、各振動付与手段２の制御・管理が容易となると共に、装置（防水箱１）のコンパクト化を図ることができる。
【図面の簡単な説明】
【００３７】
【図１】本発明の樹木用の鳥避け装置の第１の実施の形態を示す側面図である。
【図２】正面図である。
【図３】平面図である。
【図４】本発明の第２の実施の形態を示す側面図である。
【図５】平面図である。
【図６】本発明の第３の実施の形態を示す側面図である。
【図７】平面図である。
【図８】全体簡略図である。
【図９】さらに別の実施の形態を示す全体簡略図である。
【符号の説明】
【００３８】
１  防水箱
２  振動付与手段
３  ハンマー
４  ヘッド部
５  振り上げ手段
６  タイマー
７  衝撃ブロック
８  偏心モータ
９  コイル
10  幹
11  可動鉄心
12  衝撃ブロック
13  中心空隙部
31  制御装置
Ｈ  所定高さ
【図１】
2007159556.tif 000003
【図２】
2007159556.tif 000004
【図３】
2007159556.tif 000005
【図４】
2007159556.tif 000006
【図５】
2007159556.tif 000007
【図６】
2007159556.tif 000008
【図７】
2007159556.tif 000009
【図８】
2007159556.tif 000010
【図９】
2007159556.tif 000011